(57)【特許請求の範囲】
【請求項１】
携帯通信端末内に記憶された住所録から抽出される検索キーワードを受信メッセージの内容と自動的に比較してユーザーに電話番号の変更または新しい電話番号の保存を通知する電話番号記憶方法において、前記方法は、
［Ｓ２１］携帯通信端末の住所録から各個々のアドレスの内容ごとに検索キーワードを抽出するステップと；
［Ｓ２２］前記携帯通信端末が送信者のメッセージを受信するステップと；
［Ｓ２３］前記検索キーワードで前記メッセージの内容を検索するステップと；
［Ｓ２４］前記検索キーワードが前記メッセージの内容から検索される場合に「電話番号を変更する」を前記携帯通信端末上に表示するステップと；
［Ｓ２５］ユーザーが前記「電話番号を変更する」を選択する場合に前記メッセージの内容から抽出された新しい電話番号を対応アドレスの内容に含まれる既存の電話番号の代わりに記憶するステップと、からなり、前記検索キーワードは前記住所録内に記憶された名前と電話番号の少なくとも１つを含むことを特徴とする電話番号記憶方法。
【請求項２】
前記ステップＳ２４で前記検索キーワードは前記住所録から抽出された［名前］、［電話番号］または［名前と電話番号］であり、電話番号変更用の［名前］、［電話番号］または［名前と変更前の電話番号］が前記メッセージの内容から検索されることを特徴とする請求項１に記載の電話番号記憶方法。
【請求項３】
前記ステップＳ２４は、
［Ｓ２４１］前記検索キーワードが前記メッセージの内容から検索されない場合に前記携帯通信端末上に「新しい電話番号を保存する」を表示するステップと；
［Ｓ２４２］ユーザーが前記「新しい電話番号を保存する」を選択する場合に前記メッセージの内容から抽出された新しい電話番号を新しいアドレスの内容に含まれる電話番号として記憶するステップと、を含むことを特徴とする請求項１または請求項２に記載の電話番号記憶方法。
【請求項４】
携帯通信端末内に記憶された住所録データを受信メッセージの内容から抽出される検索キーワードと自動的に比較してユーザーに電話番号の変更または新しい電話番号の保存を通知する電話番号記憶方法において、
［Ｓ３１］前記携帯通信端末が送信者のメッセージを受信するステップと；
［Ｓ３２］前記メッセージの内容を解析して検索キーワードを抽出するステップと；
［Ｓ３３］前記検索キーワードで前記携帯通信端末の住所録を検索して各個々のアドレスの内容に前記検索キーワードが存在するかどうかを判定するステップと；
［Ｓ３４］前記検索キーワードが前記アドレスの内容から検索される場合に「電話番号を変更する」を前記携帯通信端末上に表示するステップと；
［Ｓ３５］ユーザーが前記「電話番号を変更する」を選択する場合に前記メッセージの内容から抽出された新しい電話番号を対応アドレスの内容に含まれる電話番号として記憶するステップと、からなり、前記検索キーワードは前記メッセージの内容に含まれた名前と電話番号の少なくとも１つを含むことを特徴とする電話番号記憶方法。
【請求項５】
前記ステップＳ３４で前記検索キーワードは前記メッセージの内容から抽出された［名前］、［電話番号］または［名前と変更前の電話番号］であり、電話番号変更用の［名前］、［電話番号］または［名前と変更前の電話番号］が前記アドレスの内容から検索されることを特徴とする請求項４に記載の電話番号記憶方法。
【請求項６】
前記ステップＳ３４は、
［Ｓ３４１］前記検索キーワードが前記アドレスの内容から検索されない場合に前記携帯通信端末上に「新しい電話番号を保存する」を表示するステップと；
［Ｓ３４２］ユーザーが前記「新しい電話番号を保存する」を選択する場合に前記メッセージの内容から抽出された新しい電話番号を新しいアドレスの内容に含まれる電話番号として記憶するステップと、を含むことを特徴とする請求項４または請求項５に記載の電話番号記憶方法。
【請求項７】
少なくとも２つの電話番号が電話番号の変更または新しい電話番号の保存対象アドレスの内容に存在する場合には、ユーザーは前記少なくとも２つの電話番号から特定の電話番号を１つ選択することを特徴とする請求項１または請求項４に記載の電話番号記憶方法。
【請求項８】
「電話番号を変更する」または「新しい電話番号を保存する」と、前記メッセージの内容とは同じページ上に表示されることを特徴とする請求項１または請求項４に記載の電話番号記憶方法。
【請求項９】
前記携帯通信端末で「電話番号を変更する」または「新しい電話番号を保存する」を前記メッセージの内容に含まれる電話番号で選択する場合、ユーザーが少なくとも１つのアドレスの内容（名前、電話番号、ショートカットキー、メモ、Ｅメールおよび着信音を含む）を直接編集できるように前記携帯通信端末は住所録の編集ページを表示することを特徴とする請求項１または請求項４に記載の電話番号記憶方法。
【請求項１０】
メッセージを受信し、前記メッセージの内容を自動解析し、ユーザーに電話番号の変更または新しい電話番号の保存を通知する携帯通信端末において、前記携帯通信端末は請求項１または請求項４で規定した方法を実行するプログラムを記憶することを特徴とする携帯通信端末。
【発明の詳細な説明】
【技術分野】
【０００１】
本発明は、受信メッセージの内容を自動的に解析し、前記メッセージが電話番号の変更を通知するメッセージであるかどうかを判定する電話番号記憶方法とその方法を実行するための携帯通信端末に関する。メッセージが電話番号の変更を通知するメッセージとして判定されると、ユーザーは前記メッセージ内の電話番号を保存するかどうかを選択するように求められる。ユーザーの選択に応じて、前記電話番号は既存の電話番号の代わりに記憶されるか、または新しい電話番号として住所録に記憶される。
【背景技術】
【０００２】
電話通信は有線通信からワイヤレスモバイル通信に発達し、現在では携帯電話１人１台時代になっており、携帯通信業界の急速な拡大により、携帯通信端末ユーザーの数は幾何学的に増加している。
【０００３】
前記携帯通信端末ユーザーは約２〜３年ごとにその端末を新しい端末に変えるので、その度に電話番号の変更を要すると言われており、過去では、ユーザーはその電話番号が変更になった場合、友人などの通信相手に電話をかけて電話番号の変更を直接に告げていたが、不便なことに、ユーザーは各友人ごとに電話をかける行動を繰り返さなければならなかった。
【０００４】
その問題を解決するために、有線またはワイヤレス電話通信のプロバイダは電話番号の変更を通知するサービスを開発した。このサービスは、電話番号変更時にＡＲＳ（自動ルート選択機能）音声案内を提供して、変更前の電話番号に電話をかけた人に新しい電話番号を通知するサービスであり、ユーザーは、その変更前の電話番号のサービスプロバイダに新しい電話番号とサービス期間を通知して前記サービスを申し込むことで利用できるサービスである。
【０００５】
しかしながら、前記サービスの代価を払うことを嫌うユーザーは、携帯通信端末のＳＭＳ（ショートメッセージサービス）を利用して電話番号の変更を友人に通知している。この場合、複数のＳＭＳを複数の受信者に同時に送信することができるとともに、ＳＭＳフォーマットを電話番号の変更を通知するＳＭＳフォーマットに変更することもできる。前記電話番号の変更を通知するＳＭＳでは、送信者が名前、変更前の電話番号および新しい電話番号を含むメッセージを作成し、そのメッセージを受信者に送信し、次いで、受信者の携帯通信端末が前記メッセージのフォーマット解析し、前記メッセージを電話番号の変更を通知するＳＭＳとして判定する場合、受信者に電話番号の変更を通知し、受信者が「確認」を選択するとその変更された電話番号を記憶するように機能するが、これには、一般的なＳＭＳフォーマット以外のフォーマットのための追加アプリケーションを送信者と受信者の携帯通信端末にインストールする必要があり、送信者が送信できるメッセージの内容も限られている。
【発明の概要】
【発明が解決しようとする課題】
【０００６】
本発明は前述の問題を考慮して考案され、本発明の目的は電話番号を自動的に記憶するサービスを提供することにあり、該サービスでは、送信者が一般的なＳＭＳ（ショートメッセージサービス）と同様に電話番号の変更を通知するメッセージを作成し、前記メッセージを受信者に送信し、次いで、前記受信者の携帯通信端末が前記メッセージの内容を住所録データと比較し、前記メッセージが電話番号の変更を通知するメッセージとして判定される場合、該端末は前記受信者に電話番号の変更または新しい電話番号の保存を通知する。
【課題を解決するための手段】
【０００７】
前述の目的を達成するため、本発明によれば、携帯通信端末内に記憶された住所録から抽出される検索キーワードを受信メッセージの内容と自動的に比較してユーザーに電話番号の変更または新しい電話番号の保存を通知する電話番号記憶方法は、［Ｓ２１］携帯通信端末の住所録から各個々のアドレスの内容ごとに検索キーワードを抽出するステップと；［Ｓ２２］前記携帯通信端末が送信者のメッセージを受信するステップと；［Ｓ２３］前記検索キーワードで前記メッセージの内容を検索するステップと；［Ｓ２４］前記検索キーワードが前記メッセージの内容から検索される場合に「電話番号を変更する」を前記携帯通信端末上に表示するステップと；さらに、［Ｓ２５］ユーザーが前記「電話番号を変更する」を選択する場合に前記メッセージの内容から抽出された新しい電話番号を対応アドレスの内容に含まれる電話番号の代わりに記憶するステップと、を含む。
【０００８】
本発明の別の構成によれば、携帯通信端末内に記憶された住所録データを受信メッセージの内容から抽出される検索キーワードと自動的に比較してユーザーに電話番号の変更または新しい電話番号の保存を通知する電話番号記憶方法は、［Ｓ３１］前記携帯通信端末が送信者のメッセージを受信するステップと；［Ｓ３２］前記メッセージの内容を解析して検索キーワードを抽出するステップと；［Ｓ３３］前記検索キーワードで前記携帯通信端末の住所録を検索して各個々のアドレスの内容に前記検索キーワードが存在するかどうかを判定するステップと；［Ｓ３４］前記検索キーワードが前記アドレスの内容から検索される場合に「電話番号を変更する」を前記携帯通信端末上に表示するステップと；さらに、［Ｓ３５］ユーザーが前記「電話番号を変更する」を選択する場合に前記メッセージの内容から抽出された新しい電話番号を対応アドレスの内容に含まれる電話番号として記憶するステップと、を含む。
【０００９】
好ましくは、前記検索キーワードは前記住所録内に記憶された名前と電話番号の少なくとも１つを含む。
【００１０】
さらに、前記検索キーワードは前記住所録から抽出される［名前］、［電話番号］または［名前と電話番号］であり、変更する必要がある［名前］、［電話番号］または［名前と変更前の電話番号］が前記メッセージの内容から検索される。
【００１１】
その上、前記方法は、前記検索キーワードが前記メッセージの内容から検索されない場合に前記携帯通信端末上に「新しい電話番号を保存する」を表示するステップと；ユーザーが前記「新しい電話番号を保存する」を選択する場合に前記メッセージの内容から抽出された新しい電話番号を新しいアドレスの内容に含まれる電話番号として記憶するステップと、をさらに含む。
【００１２】
好ましくは、少なくとも２つの電話番号が電話番号の変更または新しい電話番号の保存対象アドレスの内容に存在する場合には、ユーザーは前記少なくとも２つの電話番号から特定の電話番号を１つ選択する。
【００１３】
さらに、「電話番号を変更する」または「新しい電話番号を保存する」と、前記メッセージの内容とは同じページ上に表示される。
【００１４】
好ましくは、前記携帯通信端末で「電話番号を変更する」または「新しい電話番号を保存する」を前記メッセージの内容に含まれる電話番号で選択する場合、ユーザーが少なくとも１つのアドレスの内容（名前、電話番号、ショートカットキー、メモ、Ｅメールおよび着信音を含む）を直接編集できるように前記携帯通信端末は住所録の編集ページを表示する。
【００１５】
加えて、メッセージを受信し、前記メッセージの内容を自動解析し、ユーザーに電話番号の変更または新しい電話番号の保存を通知する携帯通信端末は、前述ステップＳ２１〜Ｓ２５またはＳ３１〜Ｓ３５を含むプログラム実行方法を記憶する。
【図面の簡単な説明】
【００１６】
本発明の好適な実施形態のこれらと他の特徴、態様、および利点を添付図面を参照して、以下の詳細な説明においてより完全に説明する。添付図面中、
【００１７】
【図１】本発明に係る携帯通信端末の概略ブロック図である。
【図２】本発明の第１実施形態に係る電話番号記憶方法を実行する携帯通信端末の内部構成図である。
【図３】図２の携帯通信端末によって実行される電話番号記憶方法のフローチャートである。
【図４】本発明の第２実施形態に係る電話番号記憶方法を実行する携帯通信端末の内部構成図である。
【図５】図４の携帯通信端末によって実行される電話番号記憶方法のフローチャートである。
【図６】本発明に係る携帯通信端末の表示部の実例図である。
【図７】本発明に係る携帯通信端末の表示部の実例図である。
【発明を実施するための形態】
【００１８】
図１は本発明に係る携帯通信端末１の概略ブロック図である。
【００１９】
本発明に係る携帯通信端末１は、信号を受信するアンテナ部１１と、前記アンテナ部１１を介してデータを受信するデータ受信部１２と、前記アンテナ部１１を介してデータを送信するデータ送信部１３と、ユーザーによるキーパッドの入力を受信するキー入力部１４と、データを記憶する記憶部１５と、スピーカーを介して音声を出力する音声出力部１６と、ユーザーに画像を出力する画像出力部１７と、前述の構成要素１１〜１７を制御する制御部１８と、を含む。
【００２０】
前記記憶部１５は本発明に係る電話番号記憶方法を実行する制御プログラムを記憶し、前記プログラムは、前記携帯通信端末１に電源が投入されると自動的に実行され、前記携帯通信端末１の電源がオフになるまでメモリ内に保持される。
【００２１】
本発明に係る電話番号記憶方法は前記携帯通信端末１で受信されたメッセージ（ＳＭＳ：ショートメッセージサービス、ＬＭＳ：ロングメッセージサービスまたはＭＭＳ：マルチメディアメッセージサービス）を使用し、本発明のメッセージは、受信者の携帯通信端末内に記憶される電話番号変更用の新しい電話番号または保存用の新しい電話番号を含む必要があり、名前または変更前の電話番号をさらに含むこともできる。
【００２２】
本発明に係る携帯通信端末１は前記メッセージの内容を自動的に解析して前記メッセージが電話番号の変更を通知するメッセージであるかどうかを判定し、前記メッセージの内容は、前記メッセージ内の連続文字列が［名前と新しい電話番号］または［変更前の電話番号と新しい電話番号］を含むかどうかを判定するために解析され、各連続文字列はスペースキーで区切られており、文字、数字または記号が連続的に配列されている文字列を意味する。本発明によれば、電話番号の変更を通知するメッセージが作成・送信され、前記メッセージの内容は解析され、さらに名前と、電話番号変更用の新しい電話番号または保存用の新しい電話番号とが前記メッセージの内容から抽出される。
【００２３】
さらに、抽出することができる名前と新しい電話番号の少なくとも１つが検索キーワードとして設定され、前記メッセージは前記検索キーワードで意味解析されて前記メッセージが電話番号の変更を通知するメッセージであるかどうかを判定する。本発明の第１実施形態によれば、検索キーワードが携帯通信端末の住所録内に記憶された連続文字列から抽出され、前記メッセージの内容は前記抽出された検索キーワードで検索され、さらに、前記第２実施形態によれば、前記メッセージの内容に含まれる連続文字列が解析され、検索キーワードが前記メッセージから抽出され、住所録が前記抽出された検索キーワードで検索され、前記検索キーワードでの検索後に前記検索キーワードが検出される場合に「電話番号を変更する」が表示される。それとは反対に、前記検索キーワードが検出されない場合、「新しい電話番号を保存する」が表示される。なお、本発明では、送信者は自身の電話番号変更または第三者の電話番号変更を通知するメッセージを受信者に送信することもできる。
【００２４】
次いで、前記メッセージの内容に含まれる［□］名前、［□］電話番号または［□］名前＋電話番号は前記携帯通信端末の住所録１内に記憶された名前と電話番号と比較される。
【００２５】
前記メッセージの内容に含まれる名前、電話番号または名前+電話番号が前記携帯通信端末の住所録１内に存在する場合に「電話番号を変更する」が表示されて受信者は前記住所録内に記憶された既存の電話番号を前記メッセージの内容に含まれる電話番号に変更するかどうか決めるように求められる。さらに、前記メッセージの内容に含まれる名前、電話番号または名前＋電話番号が前記携帯通信端末の住所録１内に存在しない場合に前記メッセージの内容に含まれる電話番号が新しい電話番号として判定され、「新しい電話番号を保存する」が表示されて受信者は前記電話番号を新しい電話番号として記憶するかどうか決めるように求められる。
【００２６】
以下、本発明の第１および第２実施形態の構成を添付図面を参照して詳細に説明する。
【００２７】
図２は本発明の第１実施形態に係る携帯通信端末１の内部構成図であり、図３は、図２の携帯通信端末１によって実行される電話番号記憶方法のフローチャートである。本発明の第１実施形態を図２および図３を参照して説明する。
【００２８】
本発明の第１実施形態に係る携帯通信端末１は、住所録から検索キーワードを抽出する検索キーワード抽出部２１と、メッセージを受信するメッセージ受信部２２と、前記検索キーワードで前記メッセージを検索するメッセージ検索部２３と、ユーザーに既存の電話番号を変更するかどうかを決めるように求める電話番号変更通知部２４と、ユーザーの選択に応じて前記住所録内に電話番号を記憶する電話番号記憶部２５と、を含む。
【００２９】
前記検索キーワード抽出部２１は前記携帯通信端末の住所録１内に記憶された連続文字列から検索キーワードを抽出する［Ｓ２１］。前記住所録は前記携帯通信端末１内に記憶されたデータであり、連絡先が登録されるたびに個々のアドレスの内容（項目）が追加される。通常、前記アドレスの内容は、名前、Ｅメール、携帯電話番号、電話番号、会社電話番号、ＦＡＸ番号、誕生日およびメモを含み、前記第１実施形態では、名前と電話番号の少なくとも１つが各連絡先ごとに検索キーワードとして抽出される。例えば、検索キーワードが名前別・携帯電話番号別に分類された１０の連絡先の電話番号を記憶する住所録から抽出される場合、各連絡先の名前と電話番号を抽出するため、合計で２０の検索キーワードが抽出され、各連絡先のすべての電話番号が抽出される場合、検索キーワード数は増加する。つまり、１つの連絡先に属する複数の電話番号を個々のアドレスの内容から検索キーワードとして抽出することもできる。
【００３０】
前記メッセージ受信部２２は送信者からメッセージを受信する［Ｓ２２］。
【００３１】
前記メッセージ検索部２３は前記ステップＳ２１で抽出された各検索キーワードで前記メッセージの内容を検索し、前記検索キーワードが前記メッセージから検出されるかどうかを判定する［Ｓ２３］。ここで、前記検索キーワードが住所録の電話番号である場合、前記検索キーワードは区切り記号のない連続番号文字列であるため、前記メッセージ検索部２３は前記メッセージの内容を解析し、番号文字列ブロックを抽出し、前記区切り記号を除去して連続番号文字列に変換する。例えば、前記メッセージ検索部２３は、任意の番号から始まり前記メッセージの内容に含まれる番号で終わる少なくとも１つの連続文字の文字列を抽出し、すべての区切り記号を前記抽出された連続文字の文字列から除去して連続番号文字列に変換し、前記連続番号文字列を前記検索キーワードと比較する。
【００３２】
前記検索キーワードが前記メッセージの内容から検出されると、前記電話番号変更通知部２４は前記メッセージの内容と「電話番号変更」とを表示する［Ｓ２４］。例えば、名前、または名前と電話番号（変更前の電話番号）との両方が前記メッセージの内容に含まれている場合、本発明に係る電話番号記憶方法を適用することができる。なお、本発明では、前記携帯通信端末１上に前記メッセージの内容を表示するページが別のページに変換される場合、設計変更によって「電話番号を変更する」または「新しい電話番号を保存する」を自動的に表示することができる。
【００３３】
以下に、電話番号変更のメッセージの内容例を説明する。
【００３４】
<実例１：［□］名前>
【００３５】
名前が検索キーワード（住所録から抽出された名前）でメッセージから検索され、前記メッセージ内に含まれた電話番号が前記住所録内に記憶された検索名に対応する電話番号に等しくない場合に「電話番号を変更する」が表示される。
【００３６】
メッセージ例１）「ジョンの電話番号が０１０-ＸＸＸ-ＸＸＸＸに変更されました」
【００３７】
メッセージ例２）「ジョン、０１０-ＸＸＸ-ＸＸＸＸ」
【００３８】
<実例２：［□］電話番号>
【００３９】
電話番号が、検索キーワード（住所録から抽出された１つの電話番号）で２つの電話番号を含むメッセージから検索される場合に「電話番号を変更する」が表示され、前記住所録の電話番号は、前記メッセージ内で検索された電話番号（検索キーワードに一致する電話番号）には変更されないが、前記住所録内に記憶された対応する電話番号に等しくない他の電話番号（検索キーワードに一致しない電話番号）に変更される。
【００４０】
メッセージ例５）「ハロー。わたしの電話番号は０１０-０００-００００から０１０-ＸＸＸ-ＸＸＸＸに変更されました」 
【００４１】
メッセージ例６）「０１０-０００-００００？０１０-ＸＸＸ-ＸＸＸＸ」
【００４２】
<実例３：［□］名前＋電話番号>
【００４３】
名前と電話番号が、検索キーワード（住所録から抽出された名前と１つの電話番号）で２つの電話番号を含むメッセージから検索される場合に「電話番号を変更する」が表示され、前記メッセージから検索された電話番号、すなわち前記住所録から抽出された名前に対応する電話番号に等しい電話番号は、前記メッセージ内の他の電話番号に変更される。
【００４４】
メッセージ例３）「ジョンの電話番号が０１０-０００-００００から０１０-ＸＸＸ-ＸＸＸＸに変更されました」
【００４５】
メッセージ例４）「ジョン、０１０-０００-００００、０１０-ＸＸＸ-ＸＸＸＸ」
【００４６】
電話番号変更の通知を受けたユーザーが前記「電話番号を変更する」を選択する場合に前記電話番号記憶部２５は前記メッセージから抽出された新しい電話番号を既存の電話番号の代わりに記憶する［Ｓ２５］。ここで、電話番号は対応アドレスの内容の編集ページに自動的に変換されるような方式で記憶され、編集事項がない場合、ユーザーは「確認」を選択して前記電話番号をそのまま記憶する。つまり、ユーザーはアドレスの内容（例えば、名前、電話番号、ショートカット番号、メモ、Ｅメールおよび着信音）を直接に編集することができ、例えば、ユーザーは、電話番号を記憶させる前に電話番号の種類（携帯電話番号、電話番号、会社電話番号またはＦＡＸ番号）を選択することができる。ユーザーが誤りを含む電話番号変更の通知を受ける場合、ユーザーは［終了］ボタンを押してその電話番号の変更を拒否することもできる。
【００４７】
なお、前記ステップＳ２４で検索キーワードが前記メッセージの内容から検出されない場合は、前記住所録内に記憶されていない新しい電話番号の記憶が要求されていることを意味するため、前記電話番号変更通知部２４は前記メッセージの内容と「新しい電話番号を保存する」を表示し［Ｓ２４１］、ユーザーの選択に応じて前記電話番号を新しいアドレスの内容として記憶する［Ｓ２４２］。前述のように、電話番号は対応アドレスの内容の編集ページに自動的に変換されるような方式で記憶され、それによりユーザーは所望事項を個々のアドレスの内容に入力することができる。このステップ中、ユーザーは名前を直接に入力したり、電話番号を編集することができ、さらに、前述の実例２では、ユーザーは２つの電話番号のそれぞれを記憶したり、２つの電話番号うちの任意の１つを選択して記憶することもでき、前述の電話番号変更と同様に、ユーザーは「終了」ボタンを押してその新しい電話番号の保存を拒否することもできる。
【００４８】
図４は本発明の第２実施形態に係る携帯通信端末１の内部構成図であり、図５は、図４の携帯通信端末１によって実行される電話番号記憶方法のフローチャートである。以下、本発明の第２実施形態を図４および図５を参照して説明する。
【００４９】
本発明の第２実施形態に係る携帯通信端末１は、メッセージを受信するメッセージ受信部３１と、前記メッセージの内容から検索キーワードを抽出する検索キーワード抽出部３２と、前記検索キーワードで住所録を検索する住所録検索部３３と、ユーザーに既存の電話番号を変更するかどうかを決めるように求める電話番号変更通知部３４と、ユーザーの選択に応じて電話番号を記憶する電話番号記憶部３５と、を含む。
【００５０】
前記メッセージ受信部３１は送信者からメッセージを受信する［Ｓ３１］。
【００５１】
前記検索キーワード抽出部３２は、前記携帯通信端末１で受信されたメッセージ内の連続文字の文字列から検索キーワードを抽出する［Ｓ３２］。前記検索キーワードは［□］名前、［□］電話番号または［□］名前および電話番号（変更前の電話番号）を含むので、少なくとも１つの検索キーワードが抽出されるが、前記第２実施形態では、前記メッセージの内容から名前が適宜に抽出されることから、検索キーワード数を増加させるために前記第２実施形態の処理効率は前記第１実施形態の処理効率よりも低い。例えば、「SaYongJaEui JeonHwaBeonHo」という文が前記メッセージの内容に含まれている場合、韓国語（ハングル）での名前の検索キーワード単位が少なくとも２つの音節であることを仮定し、「SaYong（サヨン）」、「YongJa（リョンジャ）」、「JaEui（チャエ）」、「JeonHwa（チョンハ：電話）」、「HwaBeon（ハビョン）」および「BeonHo（ビョンホ）」が検索キーワードとして抽出されることから、検索キーワードをハングルの２つの連続音節または全文字の文字列（例えば「SaYongJaEui」と「JeonHwaBeonHo」、または電話番号のみに限定することもできる。
【００５２】
別例として、英語の場合、検索キーワードが単語単位で抽出されるため、韓国語と比較して検索キーワードを抽出することが簡単であり、前記メッセージの内容に、前述の例と同じ意味の［User's phone number（ユーザーの電話番号）］という文が含まれていることを仮定すると、単語認識により、「User（ユーザー）」、「User's（ユーザーの）」、「phone（電話）」および「number（番号）」が検索キーワードとして抽出される。
【００５３】
前記住所録検索部３３は、ステップＳ３２で抽出された各検索キーワードを前記住所録の個々のアドレスの内容と１つずつ比較し、前記検索キーワードが前記住所録の個々のアドレスの内容に存在するかどうかを判定する［Ｓ３３］。
【００５４】
検索キーワードが個々のアドレスの内容から検出される場合に前記電話番号変更通知部３４は前記メッセージの内容と「電話番号を変更する」を表示する［Ｓ３４］。例えば、名前、電話番号、または名前と変更前の電話番号を含む検索キーワードがアドレスの内容に存在する場合、本発明に係る電話番号記憶方法を適用することができ、前述の実例１〜３を前記第２実施形態に適用することができる。
【００５５】
電話番号変更の通知を受けたユーザーが「電話番号を変更する」を選択する場合に前記電話番号記憶部３５は前記メッセージから抽出された新しい電話番号を既存の電話番号の代わりに記憶する［Ｓ３５］。ここで、前述のように、電話番号は対応アドレスの内容の編集ページに自動的に変換されるような方式で記憶され、それによりユーザーは個々のアドレスの内容を編集して記憶させることができる。
【００５６】
なお、前記ステップＳ３４で検索キーワードが前記アドレスの内容から検出されない場合は、前記住所録内に記憶されていない新しい電話番号を記憶するように求めるメッセージが受信されていることを意味するため、前記電話番号変更通知部３４は前記メッセージの内容と「新しい電話番号を保存する」を表示し［Ｓ３４１］、ユーザーの選択に応じて前記電話番号を新しいアドレスの内容として記憶する［Ｓ３４２］。前記電話番号は住所録の編集ページに自動的に変換されるような方式で記憶され、それによりユーザーは他のアドレスの内容を入力することができる。
【００５７】
図６と図７は本発明に係る携帯通信端末１の実例図の表示部である。
【００５８】
図６は、<実例１>で説明した送信者の電話番号変更の記憶要求を例示し、前記第１実施形態によれば、送信者の名前「CheolSu（チョルス）」が住所録から抽出された検索キーワードの１つであり、その検索キーワード「CheolSu（チョルス）」で前記携帯通信端末１は前記メッセージの内容を検索し、前記メッセージの内容から前記検索キーワードを検出し、さらに、前記住所録内に記憶された「CheolSu（チョルス）」の電話番号が前記メッセージの内容に含まれる電話番号に等しくないことを判定し、次いで、前記携帯通信端末１は「電話番号を変更する」１００をその画面の下部に表示してユーザーに電話番号変更を通知する。前記第２実施形態によれば、「CheolSu（チョルス）」は前記メッセージの内容から抽出される検索キーワードの１つであり、前記携帯通信端末１は前記検索キーワード「CheolSu（チョルス）」で住所録を検索し、前記検索キーワード「CheolSu（チョルス）」が前記住所録内に存在することを判定し、「電話番号を変更する」１００を表示する。前記第２実施形態では、図６のメッセージの内容において、ハングルの２つの音節からなる検索キーワードが合計で７連続文字の文字列（例えば：スペースキーで区切られた「Na」、「CheolSuInDe」、「BeonHoGa」、「010-1111-1111」、「BaGgeotEuNi」、「JeoJang」、「DaSiHaeRa」）から抽出される場合、合計で１２の検索キーワード（例えば：「CheolSu」、「SuIn」、「InDe」、「BeonHo」、「HoGa」、「BaGgeot」、「GgeotEu」、「EuNi」、「JeoJang」、「DaSi」、「SiHae」および「HaeRa」）が抽出される。「AhnCheolSu」と「KimCheolSu」と（名前）が前記住所録内に存在する場合、前記携帯通信端末１はユーザーに電話番号変更を名前あたりに１回、すなわち２回連続的に通知し、同様に、「CheolSu」、「SuIn」および「SiHae」が前記住所録内に連絡先として記憶されている場合、前記携帯通信端末１はユーザーに電話番号変更を３回連続的に通知するので、ユーザーは電話番号変更対象の連絡先を直接に選択することできる。
【００５９】
英語の場合、前述の実例は、「I'm CheolSu. My changed number is 010-1111-1111. Save the number（チョルスです。わたしの番号は０１０-１１１１-１１１１に変更されました。この番号を保存してください）に翻訳されて、スペースキーで区切られた合計で１０の検索キーワード、例えば「I'm」、「CheolSu」、「My」、「changed」、「number」、「is」、「010-1111-1111」、「Save」、「the」および「number」が抽出される。
【００６０】
図７は、<実例３>で説明したように第三者が他者の電話番号を記憶するように求める場合を例示する。前記第１実施形態によれば、「CheolSu」（名前）と「010-2222-2222」（変更前の電話番号）のそれぞれは住所録から抽出された検索キーワードの１つであり、前記携帯通信端末１は前記検索キーワード「CheolSu」と「010-2222-2222」で前記メッセージの内容を検索し、前記検索キーワードが前記メッセージの内容に存在することを判定し、次いで、前記携帯通信端末１は「電話番号を変更する」１００をその画面の下部に表示してユーザーに電話番号変更を通知する。前記第２実施形態によれば、前記メッセージの内容から抽出された検索キーワードのうちの「CheolSu」と「010-2222-2222」が住所録データから検索され、前記携帯通信端末１は「電話番号を変更する」１００を表示する。
【００６１】
図６と図７は住所録内に保存された既存の電話番号が変更されていることを示すものであるが、前記ステップＳ２６１またはＳ３６１で新しい電話番号が前記住所録内に追加記憶される場合に「電話番号を変更する」１００の代わりに「新しい電話番号を保存する」が表示されてユーザーに新しい電話番号の保存を通知する。図６のメッセージの内容には１つの名前と１つの電話番号が含まれているため、前記電話番号を新しい連絡先の電話番号として前記住所録内に記憶することが困難ではないが、それとは反対に、図７のメッセージの内容には２つの電話番号が含まれているため、記憶すべき対象の電話番号を判定することは困難である。従って、好ましくは、ユーザーが新しい電話番号を記憶するページ上で名前と電話番号を選択して、任意の１つの連絡先のみを記憶するか、または２つの連絡先の両方を連続的に記憶する。
【００６２】
上記は、受信メッセージの内容を自動的に解析して「電話番号を変更する」または「新しい電話番号を保存する」ことを通知する本発明に係る電話番号記憶方法の実施形態と、その方法を実行する前記携帯通信端末の実施形態であるが、当然のことながら、以上の詳細な説明および特定の実施形態は、本発明の好適な実施形態を示すが、例証に過ぎないことは、当業者であれば、この詳細な説明から本発明の趣旨および範囲を逸脱することなく種々の変更、修正をなし得ることから明らかであろう。
（産業上の利用可能性）
【００６３】
本発明に係る電話番号記憶方法およびその方法を実行するための携帯通信端末は従来のメッセージフォーマットを使用し、本発明によれば、送信者または第三者が電話番号の変更を通知するメッセージを送信すると、受信者の携帯通信端末は前記メッセージの内容を自動的に意味解析し、前記メッセージが電話番号の変更を通知するメッセージであるかどうかを判定し、さらに、該端末は前記受信者に電話番号の変更または新しい電話番号の保存を通知する。
【図１】
0005559684.tif 000002
【図２】
0005559684.tif 000003
【図３】
0005559684.tif 000004
【図４】
0005559684.tif 000005
【図５】
0005559684.tif 000006
【図６】
0005559684.tif 000007
【図７】
0005559684.tif 000008